(57)【要約】【課題】ユーザが、複数の物品全部を、全行程の邪魔にならないようにして円滑に順次取得できるようにする。【解決手段】印字ラベル作成装置１は、印字ヘッド６１と、各物品とレイアウト情報に基づく各物品の配置位置情報とを対応づけた第１相関を記憶すると共に各物品と各物品の大きさ情報とを対応づけた第２相関を記憶するＲＯＭ２１４と、を有し、操作者による物品選択情報を取得し、上記第２相関を参照して取得された各物品の大きさ情報に基づき各物品に対し大きさが小さいほど高い優先順位を付与し、優先順位が付与された各物品に対する配置位置情報を取得し、物品配置図と物品配置図中における各物品の配置位置情報に対応した部位に表示される各物品の優先順位とを含む、印字ラベルＬＰを印字形成する。【選択図】図１２
2015138285.tif 000002
【特許請求の範囲】
【請求項１】
被印字媒体を搬送する搬送手段と、前記搬送手段により搬送される前記被印字媒体に対し、所望の印字を形成する印字手段と、を有し、予め定められた所定のレイアウト情報に沿って複数の物品が配置された物品配置領域で用いられる印刷装置であって、
前記複数の物品それぞれと、前記レイアウト情報に基づく前記それぞれの物品の配置位置情報と、を対応づけた第１相関を記憶する配置位置情報記憶手段と、
前記複数の物品それぞれと、前記それぞれの物品の大きさ情報と、を対応づけた第２相関を記憶する大きさ情報記憶手段と、
操作者により選択された物品を表す物品選択情報を取得する選択情報取得手段と、
操作者による複数の物品の選択に応じて前記選択情報取得手段によって複数の前記物品選択情報が取得された場合に、前記大きさ情報取得手段に記憶された前記第２相関を参照して取得された各物品の前記大きさ情報に基づき、前記複数の物品に対し、大きさが小さいほど高い優先順位を付与する順位付与手段と、
前記配置位置情報記憶手段に記憶された前記第１相関を参照して、前記順位付与手段によって前記優先順位が付与された前記複数の物品それぞれに対する、前記配置位置情報を取得する配置位置情報取得手段と、
前記レイアウト情報に対応した物品配置図と、前記物品配置図中における各物品の前記配置位置情報に対応した部位に表示される各物品の前記優先順位と、を含む、配置表示印刷物を印字形成するように、前記搬送手段及び前記印字手段を制御する制御手段と、
を有することを特徴とする印刷装置。
【請求項２】
請求項１記載の印刷装置において、
前記複数の物品それぞれと、前記それぞれの物品の重さ情報と、を対応づけた第３相関を記憶する重さ情報記憶手段をさらに有し、
前記順位付与手段は、
前記大きさ情報に基づき、複数の物品の大きさの差が所定範囲内である場合には、前記重さ情報取得手段に記憶された前記第３相関を参照して取得された各物品の前記重さ情報に基づき、前記複数の物品に対し、重さが軽いほど高い前記優先順位を付与する
ことを特徴とする印刷装置。
【請求項３】
請求項１又は請求項２記載の印刷装置において、
前記選択情報取得手段は、
前記物品選択情報として、前記操作者により操作入力された前記物品の種類情報、若しくは、前記操作者により操作入力された前記物品の型番情報、若しくは、バーコードスキャナより読み取られた、前記種類情報又は前記型番情報に対応したバーコード情報、を取得する
ことを特徴とする印刷装置。
【請求項４】
請求項１乃至請求項３のいずれか１項記載の印刷装置において、
前記物品と、当該物品に対応して予め定められた少なくとも１つの代替品と、を対応づけた第４相関を記憶する代替情報記憶手段と、
所定の条件が満たされたとき、前記代替情報取得手段に記憶された前記第４相関を参照して、前記選択情報取得手段により前記物品選択情報が取得された特定の前記物品に対応する前記代替品を決定する代替品決定手段と、
を、有し、
前記順位付与手段は、
前記特定の物品に加え、前記代替品決定手段により決定された前記代替品に対しても前記優先順位を付与し、
前記配置位置情報取得手段は、
前記特定の物品に加え、前記代替品決定手段により決定された前記代替品に対しても前記配置位置情報を取得し、
前記制御手段は、
前記物品配置図と、当該物品配置図中における前記特定の物品の前記配置位置情報に対応した部位に表示される当該特定の物品の前記優先順位と、当該物品配置図中における前記代替品の前記配置位置情報に対応した部位に表示される当該代替品の前記優先順位と、を含む、前記配置表示印刷物を印字形成するように、前記搬送手段及び前記印字手段を制御する
ことを特徴とする印刷装置。
【発明の詳細な説明】
【技術分野】
【０００１】
本発明は、被印字媒体に所望の印字を形成する印刷装置に関する。
【背景技術】
【０００２】
例えば販売店等に設けられる印刷装置において、物品の配置箇所や入退出経路等の道案内をする印刷物を生成する技術が、既に知られている（例えば、特許文献１参照）。利用者（ユーザ）は、生成された印刷物に記載された、現在地から出口までの退店ルートを見ることで、迷うことなく円滑に販売店を退去することができる。
【先行技術文献】
【特許文献】
【０００３】
【特許文献１】特開２０１２−５３６７７号公報
【発明の概要】
【発明が解決しようとする課題】
【０００４】
例えば、上記販売店等において、ユーザが複数の物品を順に取得して所持する場合、行程の邪魔にならず円滑な移動を行えるようにするには、大きさが小さい物品から大きさが大きい物品となる順番（＝小さい順）で、順次物品の取得を行うほうが好ましい。上記従来技術においては、ユーザが複数の物品を取得するときにおける上記観点には、特に配慮されていなかった。
【０００５】
本発明の目的は、ユーザが、複数の物品全部を、全行程の邪魔にならないようにして円滑に順次取得できる印刷装置を提供することにある。
【課題を解決するための手段】
【０００６】
上記目的を達成するために、本願発明は、被印字媒体を搬送する搬送手段と、前記搬送手段により搬送される前記被印字媒体に対し、所望の印字を形成する印字手段と、を有し、予め定められた所定のレイアウト情報に沿って複数の物品が配置された物品配置領域で用いられる印刷装置であって、前記複数の物品それぞれと、前記レイアウト情報に基づく前記それぞれの物品の配置位置情報と、を対応づけた第１相関を記憶する配置位置情報記憶手段と、前記複数の物品それぞれと、前記それぞれの物品の大きさ情報と、を対応づけた第２相関を記憶する大きさ情報記憶手段と、操作者により選択された物品を表す物品選択情報を取得する選択情報取得手段と、操作者による複数の物品の選択に応じて前記選択情報取得手段によって複数の前記物品選択情報が取得された場合に、前記大きさ情報取得手段に記憶された前記第２相関を参照して取得された各物品の前記大きさ情報に基づき、前記複数の物品に対し、大きさが小さいほど高い優先順位を付与する順位付与手段と、前記配置位置情報記憶手段に記憶された前記第１相関を参照して、前記順位付与手段によって前記優先順位が付与された前記複数の物品それぞれに対する、前記配置位置情報を取得する配置位置情報取得手段と、前記レイアウト情報に対応した物品配置図と、前記物品配置図中における各物品の前記配置位置情報に対応した部位に表示される各物品の前記優先順位と、を含む、配置表示印刷物を印字形成するように、前記搬送手段及び前記印字手段を制御する制御手段と、を有することを特徴とする。
【０００７】
本願発明の印刷装置は、例えば多数の物品を広い領域にわたり配置して販売・展示等（以下単に「販売等」という）を行う、物品配置領域（例えば、販売店・展示会場等）において用いられる。この販売店等において、利用者は、各物品の配置箇所を巡って移動することにより、所望の複数の物品を順次取得することができる。本願発明の印刷装置では、そのような移動する利用者のために、制御手段の制御に基づき、搬送手段と印字手段とによって、物品の配置位置を表す印刷物（配置表示印刷物）が作成される。この印刷物には、上記物品配置領域への複数の物品の配置を表すレイアウト情報に対応した物品配置図が印字形成される。これにより、利用者の上記移動時の便宜を図ることができる。
【０００８】
ここで、上記のように利用者が複数の物品を順に取得して所持する場合、行程の邪魔にならず円滑な移動を行えるようにするには、大きさが小さい物品から大きさが大きい物品となる順番（＝小さい順）で、順次物品の取得を行うほうが好ましい。そこで、本願発明においては、配置位置情報記憶手段と大きさ情報記憶手段と、が設けられる。配置位置情報記憶手段には、各物品と各物品の配置位置情報との対応づけ（第１相関）が記憶されている。大きさ情報記憶手段には、各物品と各物品の大きさ情報との対応づけ（第２相関）が記憶されている。
【０００９】
利用者（装置の操作者。以下同様）が自らの取得を意図する複数の物品を選択することで、対応する複数の物品選択情報が選択情報取得手段によって取得されると、順位付与手段が、上記第２相関を参照して、上記複数の物品に対し、大きさが小さいほど高くなる優先順位を付与する。これにより、利用者が選択した複数の物品のうち最も小さいものが優先順位が高く（＝優先順位１位）となり、最も大きいものが優先順位が低く（＝優先順位最下位）なる。その一方で、配置位置情報取得手段が、上記第１相関を参照して、上記複数の物品それぞれに対する配置位置情報を取得する。そして、上記のようにして複数の物品に付与された上記優先順位と上記配置位置情報に応じて、制御手段の制御に基づく上記搬送手段及び前記印字手段の協働により、物品配置図を備えた配置表示印刷物が印字形成される。
【００１０】
このとき、物品配置図において、上記複数の物品それぞれの配置位置情報に対応した部位に、各物品の優先順位が表示される。したがって、利用者は、物品配置図中に示される各順位（例えば順位番号）が付された箇所を、順位１→２→・・の順に移動することにより、自らが選択した複数の物品を、小さいものから順に取得することができる。これにより、それら複数の物品全部を、なるべく全行程の邪魔になりにくいようにしつつ円滑に順次取得することができる。この結果、印刷物において単に複数の物品の配置箇所や入退出経路のみが示される場合に比べ、利用者の利便性を向上することができる。
【発明の効果】
【００１１】
本発明によれば、ユーザが、複数の物品全部を、全行程の邪魔にならないようにして円滑に順次取得することができる。
【図面の簡単な説明】
【００１２】
【図１】本発明の一実施形態の印字ラベル作成装置の外観を表す斜視図である。
【図２】印字ラベル作成装置の全体構造を表す側断面図である。
【図３】印字ラベル作成装置の制御系を表す機能ブロック図である。
【図４】タッチパネルの詳細構成を表す上面図である。
【図５】操作シートの例を表す説明図である。
【図６】入口から出口まで最短経路となるような態様でユーザの誘導を行う比較例における誘導手法を表す説明図である。
【図７】小さい物品から大きい物品の順番で物品の取得が行われるようにユーザの誘導を行う本発明の一実施形態の誘導手法を表す説明図である。
【図８】レイアウト情報の一例を表す図である。
【図９】物品基本データベースの一例を表す図である。
【図１０】配置割当てテーブルの一例を表す図である。
【図１１】ユーザの選択に応じて物品基本データベースから抽出して作成されたテーブル、及び、当該テーブルの各物品に対し大きさが小さい順に優先順位を付与したテーブルを表す図である。
【図１２】作成された印字ラベルの一例を表す図である。
【図１３】印字ラベル作成装置のＣＰＵによって実行される制御内容を表すフローチャートである。
【図１４】代替品に配慮した変形例において、作成された印字ラベルの一例を表す図である。
【発明を実施するための形態】
【００１３】
以下、本発明の一実施形態を図面を参照しつつ説明する。
【００１４】
＜外観概略構成＞
本実施形態に係わる印字ラベル作成装置の外観構成を図１により説明する。なお、以下の説明において、前・後方向、左・右方向、上・下方向は、図１中に適宜示す矢印の方向を表す。
【００１５】
図１において、本実施形態の印字ラベル作成装置１（印刷装置に相当）は、装置の外郭を構成し、フロントパネル６を備えた装置筐体２と、上カバーユニット５とを有している。これら装置筐体２及び上カバーユニット５は例えば樹脂製である。上カバーユニット５は、タッチパネル部５Ａと、操作ボタン部５Ｃと、を備えている。
【００１６】
上カバーユニット５は、後方端部において装置筐体２に回転軸部２ａ（後述する図２参照）を介して回動可能に接続されており、これにより上カバーユニット５は装置筐体２に対し開閉可能な構造となっている。なお、上カバーユニット５の下部には、上記装置筐体２の一部を構成する筐体カバー部２Ａが一体に構成されており、上カバーユニット５の開閉時には、筐体カバー部２Ａも一体となって開閉する。
【００１７】
操作ボタン部５Ｃは、上カバーユニット５の前方寄りの上面位置に設けられ、印字ラベル作成装置１の電源ボタン７Ａや、周辺機器作動状態を表示させるためのステータスボタン７Ｂ、フィードボタン７Ｃ等が配置されている。なお、タッチパネル部５Ａについては、後に詳述する。
【００１８】
装置筐体２の左右の両側壁には、解除つまみ１７が設けられている。この解除つまみ１７を上方に押し上げることによって、装置筐体２への上カバーユニット５の係止が解除され、上カバーユニット５が開放可能な状態となる。
【００１９】
フロントパネル６には、第１排出口６Ａと、当該第１排出口６Ａよりも下方側の部位に位置する第２排出口６Ｂとが、設けられている。また、フロントパネル６のうち第２排出口６Ｂを備えた部分は、例えば後述の被印字テープ３Ａの設置や排紙等の便宜を図るために、前方側へ回動可能な開閉蓋６Ｃとなっている。
【００２０】
第１排出口６Ａは、上カバーユニット５を閉じ状態としたときに、装置筐体２の前面側上縁部と上記上カバーユニット５の前面側下縁部とによって形成される。なお、上カバーユニット５の第１排出口６Ａ側における下縁部内側には、切断刃８が下方に向けて付設されている（後述する図２も参照）。
【００２１】
＜内部構造＞
次に、図２を用いて、印字ラベル作成装置１の内部構造を説明する。
【００２２】
図２に示すように、印字ラベル作成装置１は、装置筐体２の内部空間の後方に、凹状のロール収納部４を有している。ロール収納部４は、所望の幅の被印字テープ３Ａ（被印字媒体に相当）をロール状に巻回したロール３を、被印字テープ３Ａがロール上側より繰り出されるように収納する。ロール収納部４の上方は、上カバーユニット５により開閉される。
【００２３】
ロール３を構成する被印字テープ３Ａには、図２中拡大図中に示すように、ラベル台紙ＬＰが剥離材層３ｃ上に長手方向に沿って離散的に配置されている。ラベル台紙ＬＰは、この例では２層構造となっており、後述する印字ヘッド６１によって印字が形成される被印字層３ａと、粘着剤層３ｂと、の順で積層されている。そして、ラベル台紙ＬＰは、上記粘着剤層３ｂの粘着力により所定間隔おきに剥離材層３ｃの一方側の面に接着されている。すなわち、被印字テープ３Ａは、ラベル台紙ＬＰが接着された部分では被印字層３ａ、粘着剤層３ｂ、及び剥離材層３ｃの３層構造となっており（図２中拡大図参照）、ラベル台紙ＬＰが接着されていない部分（すなわちラベル台紙ＬＰ同士の間の部分）では、剥離材層３ｃのみの１層構造となっている。印字が完了したラベル台紙ＬＰは、印字ラベル（以下適宜、印字形成後のラベル台紙ＬＰを「印字ラベルＬＰ」と称する）として最終的に剥離材層３ｃより剥がされ、この例では、店舗（後述の販売店Ｓ）内等で移動する利用者（ユーザ）のために、物品の配置位置を表す印刷物（配置表示印刷物に相当）として利用される（詳細は後述）。
【００２４】
ロール収納部４の底面部には、３つの支持ローラ５１，５２，５３が設けられている。支持ローラ５１〜５３は、被印字テープ３Ａを搬送させるためのプラテンローラ６６（搬送手段に相当）が回転駆動されてロール３より被印字テープ３Ａを引き出す際に、少なくとも２つのローラがロール３の外周面に接触することにより、従動的に回転してロール３を回転可能に支持する。これら３つの支持ローラ５１〜５３は、ロール３に対する周方向位置がそれぞれ異なっており、前方から後方に向かって、ロール３の周方向に沿って、第１支持ローラ５１、第２支持ローラ５２、及び第３支持ローラ５３、の順に配置されている。これら第１〜第３支持ローラ５１〜５３は、上記左右方向（言い換えればロール幅方向）に複数の部分に分割されており、ロール幅に応じてロール３が搭載された部分だけが回転する。
【００２５】
＜プラテンローラ、印字ヘッド、及びその周辺構造＞
一方、上カバーユニット５の前端部下側には、プラテンローラ６６により搬送される被印字テープ３Ａに対し所望の印字を行う上記印字ヘッド６１（印字手段に相当）が設けられている。この印字ヘッド６１に上下方向に対向するように、装置筐体２の前端部上側に、上記プラテンローラ６６が設けられている。プラテンローラ６６のローラ軸６６Ａは、軸方向両端に設けたブラケット６５（図２参照）により回転自在に軸支されており、またローラ軸６６Ａの一方の軸端には、プラテンローラ６６を駆動するギア（図示省略）が固定されている。
【００２６】
このとき、プラテンローラ６６のローラ軸６６Ａに固定された上記ギアが、装置筐体２側の図示しないギア列に噛合し、ステッピングモータ等で構成されるプラテンローラ用モータ２１１（後述の図３参照）によりプラテンローラ６６を回転駆動する。これにより、プラテンローラ６６は、ロール収納部４に収納されたロール３より被印字テープ３Ａを繰り出し、被印字テープ３Ａをそのテープ幅方向を左右方向とした姿勢で搬送する。
【００２７】
印字ヘッド６１は、被印字テープ３Ａの搬送方向と直交する方向に、複数個の発熱素子を備えている。印字ヘッド６１の発熱素子が設けられた面と対向する側に、上記プラテンローラ６６は配置されている。発熱素子には、印字すべきドットパターンデータに従って通電がなされ、これによって、ロール３から繰り出された被印字テープ３Ａ上に文字や図像等が印字される。印字ヘッド６１に設けられた各発熱素子の駆動は、後述する図３に示す印字ヘッド制御回路２１７によって行われる。
【００２８】
すなわち、プラテンローラ６６が回転駆動され被印字テープ３Ａが引っ張られると、被印字テープ３Ａがロール３から繰り出され、ラベル台紙ＬＰ側の面を上方とした状態で搬送される。搬送される被印字テープ３Ａに対し、被印字テープ３Ａの上方に位置する印字ヘッド６１によって、タッチパネル部５Ａへのユーザの操作に対応した所望の印字が形成される（詳細は後述）。
【００２９】
また、プラテンローラ６６よりも前方側には、剥離材層３ｃをプラテンローラ６６の下方側へ折り返す剥離板２００が設けられている。すなわち、腰が強い被印字層３ａは上記のような折返し経路に追従できないことを利用し、剥離板２００において、剥離材層３ｃから被印字層３ａ及び粘着剤層３ｂが引き剥がされる。上記剥離板２００により剥離材層３ｃから引き剥がされた印字済みの被印字層３ａ及び粘着剤層３ｂ（言い換えれば印字ラベルＬＰ）は、剥離板２００のさらに前方側に位置する上記第１排出口６Ａを介し装置筐体２の外部へ排出される。その後、第１排出口６Ａより装置筐体２の外部へ排出され、ラベルとして使用される。切断刃８は、上記第１排出口６Ａを介し装置筐体２の外部へ排出される被印字層３ａ及び粘着剤層３ｂを、ユーザが所望の位置で切断するのに用いられる。
【００３０】
一方、プラテンローラ６６の下方には、上記剥離板２００により下方側へ折り返された剥離材層３ｃを、当該プラテンローラ６６との間に挟み込んで搬送するピンチローラ２０１が設けられている。上記ピンチローラ２０１により搬送された上記剥離材層３ｃは、上記第２排出口６Ｂから、装置筐体２の外部へ排出される。
【００３１】
＜制御系＞
次に、図３を用いて、印字ラベル作成装置１の制御系について説明する。
【００３２】
図３において、印字ラベル作成装置１には、所定の演算を行う演算部を構成するＣＰＵ２１２が備えられている。ＣＰＵ２１２は、ＲＡＭ２１３、ＲＯＭ２１４、及びメモリ２１５に接続されている。また、ＣＰＵ２１２は、上記プラテンローラ６６を駆動する上記プラテンローラ用モータ２１１の駆動制御を行うモータ駆動回路２１６と、上記印字ヘッド６１の発熱素子の通電制御を行う印字ヘッド制御回路２１７と、に接続されている。さらに、ＣＰＵ２１２には、上記タッチパネル部５Ａが接続されている。
【００３３】
ＲＯＭ２１４には、後述する制御処理（後述の図１３参照）等を実行するための制御プログラムが記憶されている。
【００３４】
ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。
【００３５】
＜操作シートを用いたタッチパネル操作＞
本実施形態の印字ラベル作成装置１では、タッチパネル部５Ａを用いたユーザの操作に応じた印字が形成された、上記印字ラベルＬＰを作成することができる。まず、上記ユーザによるタッチパネル操作の詳細を、図４及び図５を用いて説明する。
【００３６】
＜タッチパネルの操作領域＞
上述したように、上カバーユニット５の上部には、タッチパネル部５Ａが設けられている（図１参照）。このタッチパネル部５Ａは、図４に示すように、操作面１０５Ａを備えている。ユーザは、操作面１０５Ａに対し上方から指先等で接触することにより、所望の操作入力を行うことができる。すなわち、タッチパネル５Ａの操作面１０５Ａは、例えば複数の操作領域（この例では２０個の操作領域１０５ａ〜１０５ｔ）を備えている。これに対応して、ＣＰＵ２１２には、上記操作検知部２１２Ｂが備えられている（上記図３参照）。この操作検知部２１２Ｂは、ユーザによる適宜の操作（例えば複数種類の操作シートＳＨのうちどのシートを使用しているかの指示入力）を契機に、タッチパネル５Ａの操作信号に基づき、ユーザが上記操作領域１０５ａ〜１０５ｔのうちいずれを押圧したかを識別することができる。
【００３７】
そして、上記操作面１０５Ａの上には、上記操作入力を円滑に行えるようにするために、操作シートＳＨが載置される。操作シートＳＨは、複数種類が用意されており、それぞれに、印字ラベルＬＰへの印字内容に係わる物品（詳細は後述）の選択を行うための選択キー２１（図５参照）が互いに異なる配置で設けられている。ユーザは、必要に応じて複数種類の操作シートＳＨを適宜に交換しつつ使用し、操作シートＳＨの選択キー２１越しに押圧操作を行うことにより、多種多様な操作入力を行うことができる。
【００３８】
上記操作シートＳＨの一例を図５に示す。この例では、操作シートＳＨには、「ハンドソープ」「電球」「糸鋸」「取替えモップ」「シャンプー」「電池」「植木ハサミ」「洗濯ネット」「歯磨き粉」「二股コンセント」「金槌」「バケツ」等の各種類の物品をそれぞれ選択するための、複数（この例では２０個）の選択キー２１が配置されている。
【００３９】
一方このとき、上記メモリ２１５（図３参照）には、シート相関情報が記憶されている。このシート相関情報では、上記操作領域１０５ａ〜１０５ｔ（図４参照）と、上記シートＳＨの各選択キー２１と、がそれぞれ対応づけられている。これにより、操作検知部２１２Ｂは、上記操作シートＳＨの上記選択キー２１越しに対応する上記操作領域１０５ａ〜１０５ｔが押圧されると、上記シート相関情報を用いて、その時点で載置されている操作シートＳＨのうちどの選択キー２１が押圧されたか（言い換えれば操作シートＳＨに記載の物品のうちどの物品が選択されたか）を識別することができる。すなわち、上記操作シートＳＨが操作面１０５Ａに載置された場合を例に取ると、操作検知部２１２Ｂは、「ハンドソープ」の選択キー２１に対応した上記操作領域１０５ａの押圧を検出することで、ユーザが、物品として「ハンドソープ」を選択したことを識別することができる。同様に、操作検知部２１２Ｂは、上記操作領域１０５ｂの押圧を検出することでユーザによる「電球」の選択を識別することができ、上記操作領域１０５ｃの押圧を検出することでユーザによる「糸鋸」の選択を識別することができ、上記操作領域１０５ｄの押圧を検出することでユーザによる「取り替えモップ」の選択を識別することができ、上記操作領域１０５ｅの押圧を検出することでユーザによる「シャンプー」の選択を識別することができ、上記操作領域１０５ｆの押圧を検出することでユーザによる「電池」の選択を識別することができ、上記操作領域１０５ｇの押圧を検出することでユーザによる「植木ハサミ」の選択を識別することができ、上記操作領域１０５ｈの押圧を検出することでユーザによる「洗濯ネット」の選択を識別することができ、上記操作領域１０５ｉの押圧を検出することでユーザによる「歯磨き粉」の選択を識別することができ、上記操作領域１０５ｊの押圧を検出することでユーザによる「二股コンセント」の選択を識別することができ、上記操作領域１０５ｋの押圧を検出することでユーザによる「金槌」の選択を識別することができ、上記操作領域１０５ｌの押圧を検出することでユーザによる「バケツ」の選択を識別することができる（以下、同様）。
【００４０】
＜販売店等におけるユーザの誘導＞
本実施形態においては、上記印字ラベル作成装置１は、例えば、多数の物品を広い領域にわたり配置して販売・展示等（以下適宜、単に「販売等」という）を行う物品配置領域Ｓ（例えば、販売店・展示会場等。以下適宜、単に「販売店Ｓ」と称する）において用いられる（後述の図６、図７参照）。すなわち、販売店Ｓにおいて、ユーザは、各物品の配置箇所を巡って移動し、所望の複数の物品を順次取得する場合がある。印字ラベル作成装置１は、そのようなユーザの移動を円滑に行わせる（誘導する）ための物品取得順序を記載した上記印字ラベルＬＰを作成する（詳細は後述）。
【００４１】
＜実施形態におけるユーザの誘導手法の特徴＞
本実施形態の特徴は、上記のように複数の物品を順次取得するユーザに対し、大きさが小さい物品から大きい物品となる順番（＝小さい順）で上記取得が行われるように、上記誘導を行うことにある。以下、その詳細を、比較例を用いつつ順を追って説明する。
【００４２】
＜販売店の物品配置＞
例えば、図６及び図７に示すような配置で各物品が配置されている販売店Ｓを例にとって説明する。図６及び図７において、この販売店Ｓでは、物品陳列用の陳列棚ＳＴ１〜ＳＴ４と、入口ＥＮと、出口ＥＸと、が設けられている。そして、この例では、４つの陳列棚ＳＴ１〜ＳＴ４のうち、陳列棚ＳＴ１には「取替えモップ」「洗濯ネット」「バケツ」の各物品が陳列され、陳列棚ＳＴ２には「ハンドソープ」「シャンプー」「歯磨き粉」の各物品が陳列され、陳列棚ＳＴ３には「糸鋸」「植木ハサミ」「金槌」の各物品が陳列され、陳列棚ＳＴ４には「電球」「電池」「二股コンセント」が陳列されている。そして、一例として、上記販売店Ｓへの来店者であるユーザＰ１が、「電球」「取替えモップ」「歯磨き粉」の購入を意図する場合を例にとって説明する。上述したように、「電球」は陳列棚ＳＴ４に陳列されており、「取り替えモップ」は陳列棚ＳＴ１に陳列されており、「歯磨き粉」は陳列棚ＳＴ２に陳列されている。
【００４３】
＜比較例の誘導手法＞
本実施形態の比較例として、上記のような意図で来店したユーザＰ１に対し、入口ＥＮから出口ＥＸまで最短経路となるような態様で誘導を行う場合を上記図６に示す。この場合、図６中の破線矢印に示すように、まず最初に、（入口ＥＮに最も近い）陳列棚ＳＴ１に陳列された「取り替えモップ」へとユーザＰ１を誘導し、次に、陳列棚ＳＴ２に陳列された「歯磨き粉」へとユーザＰ１を誘導し、最後に、（出口ＥＸに最も近い）陳列棚ＳＴ４に陳列された「電球」へとユーザＰ１を誘導することとなる。
【００４４】
ここで、上記のようにユーザＰ１が陳列棚ＳＴ１〜ＳＴ４から複数の物品を順に取得して所持する場合、行程の邪魔にならず円滑な移動を行えるようにするには、大きさが小さい物品から大きさが大きい物品となる順番（＝小さい順）で、順次物品の取得を行うほうが好ましい。しかしながら、上記比較例の取得順序では、上記３つの物品のうち、最も大きな「取り替えモップ」を最初に取得してしまうことから、それ以降の「歯磨き粉」「電球」の配置箇所へと移動するとき、ユーザＰ１は、上記取得済みの大きな「取り替えモップ」を抱えつつ長い距離を移動しなければならず、不便である。
【００４５】
＜実施形態の誘導手法の概要＞
そこで、本実施形態では、図７中の破線矢印に示すように、まず、大きさが最も小さい「電球」（陳列棚ＳＴ４に陳列）へとユーザＰ１を誘導し、その後、その次に大きさが小さい「歯磨き粉」（陳列棚ＳＴ２に陳列）へとユーザＰ１を誘導し、最後に、最も大きい「取り替えモップ」（陳列棚ＳＴ１に陳列）へとユーザＰ１を誘導する。ユーザＰ１は、このような誘導に従って、大きさが小さい物品から大きさが大きい物品となる順番（＝小さい順）で、順次物品の取得を行うことにより、
取得済みの物品が行程の邪魔にならないようにしながら、円滑な移動を行うことができる。
【００４６】
＜実施形態における情報・データの処理内容＞
上記の手法を実現するために、本実施形態のラベル作成装置１において備えられた各種情報・データ及びそれらの処理内容について、順を追って説明する。
【００４７】
＜レイアウト情報＞
まず、本実施形態では、販売店Ｓにおける複数の物品の配置を表すレイアウト情報が用いられる。このレイアウト情報の一例を図８に示す。
【００４８】
図８において、この例では、上記図６及び図７に示した例に沿い、入口ＥＮ付近に位置「Ｅ１」が設定され、出口ＥＸ付近に位置「Ｅ２」が設定され、陳列棚ＳＴ１における物品の複数（この例では３つ）の配置箇所として、入口ＥＮ側から出口ＥＸ側に向かって位置「Ａ１」「Ａ２」「Ａ３」が設定され、陳列棚ＳＴ２における物品の複数（この例では３つ）の配置箇所として、入口ＥＮ側から出口ＥＸ側に向かって位置「Ｂ１」「Ｂ２」「Ｂ３」が設定され、陳列棚ＳＴ３における物品の複数（この例では３つ）の配置箇所として、入口ＥＮ側から出口ＥＸ側に向かって位置「Ｃ１」「Ｃ２」「Ｃ３」が設定されている。これにより、後述の図８や図１０に示すように、各位置「Ｅ１」「Ｅ２」「Ａ１」「Ａ２」「Ａ３」「Ｂ１」「Ｂ２」「Ｂ３」「Ｃ１」「Ｃ２」「Ｃ３」に対して、販売店Ｓで陳列する各物品を予め割り当てて対応づけ、記憶することができる（後述の図９及び図１０参照）。なお、図８に示すレイアウト情報は、例えば予め上記ＲＯＭ２１４に固定的に記憶されている。
【００４９】
＜物品基本データベース＞
本実施形態では、販売店Ｓにおいて陳列（言い換えれば販売）の対象となる全物品について、図９に示すような物品基本データベースが用意される。図示のように、この物品基本データベースには、物品と、当該物品が陳列される位置（上記の位置で表記。配置位置情報に相当）とが対応づけられている（第１相関に相当）。また、各物品に対しては、当該物品の大きさ情報（縦寸法及び横寸法のｃｍ表記）も対応づけられている（第２相関に相当）。さらに、各物品に対して、当該物品の重さ情報（ｇ表記）も対応づけられている（第３相関に相当）。また、各物品に対して、当該物品の値段情報（円表記）も対応づけられている。
【００５０】
図９に示す例では、物品「糸鋸」については、配置位置が上記位置「Ｃ１」、大きさが「２５ｃｍ×１５ｃｍ」、重さが「１０００ｇ」、値段が「９５０円」、となっている。同様に、物品「ハンドソープ」については、配置位置が上記位置「Ｂ１」、大きさが「１５ｃｍ×１０ｃｍ」、重さが「１９０ｇ」、値段が「２５８円」、となっている。物品「金槌」については、配置位置が上記位置「Ｃ３」、大きさが「３５ｃｍ×１０ｃｍ」、重さが「１２００ｇ」、値段が「１２５０円」、となっている。物品「シャンプー」については、配置位置が上記位置「Ｂ２」、大きさが「１５ｃｍ×１０ｃｍ」、重さが「２００ｇ」、値段が「３５６円」、となっている。物品「洗濯ネット」については、配置位置が上記位置「Ａ２」、大きさが「３０ｃｍ×３０ｃｍ」、重さが「１０ｇ」、値段が「９８円」、となっている。物品「電球」については、配置位置が上記位置「Ｄ１」、大きさが「８ｃｍ×５ｃｍ」、重さが「３０ｇ」、値段が「１２５円」、となっている。物品「電池」については、配置位置が上記位置「Ｄ２」、大きさが「２ｃｍ×５ｃｍ」、重さが「４５ｇ」、値段が「４５円」、となっている。物品「取り替えモップ」については、配置位置が上記位置「Ａ１」、大きさが「１００ｃｍ×３０ｃｍ」、重さが「８００ｇ」、値段が「７５０円」、となっている。物品「バケツ」については、配置位置が上記位置「Ａ３」、大きさが「３５ｃｍ×２５ｃｍ」、重さが「３５０ｇ」、値段が「５５０円」、となっている。物品「歯磨き粉」については、配置位置が上記位置「Ｂ３」、大きさが「１５ｃｍ×３ｃｍ」、重さが「８０ｇ」、値段が「３９８円」、となっている。物品「二股コンセント」については、配置位置が上記位置「Ｄ３」、大きさが「６ｃｍ×４ｃｍ」、重さが「５０ｇ」、値段が「２２５円」、となっている。物品「植木ハサミ」については、配置位置が上記位置「Ｃ２」、大きさが「８０ｃｍ×１０ｃｍ」、重さが「１５００ｇ」、値段が「１９８０円」、となっている。
【００５１】
なお、この物品基本データベースは、予め、例えば当該販売店Ｓの管理者等によって手作業にて入力され、上記ＲＯＭ２１４に記憶されている。この結果、当該ＲＯＭ２１４が、各請求項記載の配置位置情報記憶手段、大きさ情報記憶手段、重さ情報記憶手段として機能する。
【００５２】
＜配置割当てテーブル＞
図１０に、上記物品基本データベース中に基づきＣＰＵ２１２によって作成される、配置割当てテーブルの一例を示す。この配置割当てテーブルは、横のＡ，Ｂ，Ｃ，Ｄ，Ｅの各項目欄と、縦の１，２，３の各項目欄との組み合わせにより、上述した各位置と物品名等のテキスト（印字ラベルＬＰへ印字形成される内容となる。詳細は後述）との対応付けを表している。すなわち、上述したように、上記レイアウト情報及び物品基本データベースに対応して、位置「Ａ１」には物品名のテキスト「取り替えモップ」が対応づけられ、位置「Ａ２」には物品名のテキスト「洗濯ネット」が対応づけられ、位置「Ａ３」には物品名のテキスト「バケツ」が対応づけられ、位置「Ｂ１」には物品名のテキスト「ハンドソープ」が対応づけられ、位置「Ｂ２」には物品名のテキスト「シャンプー」が対応づけられ、位置「Ｂ３」には物品名のテキスト「歯磨き粉」が対応づけられ、位置「Ｃ１」には物品名のテキスト「糸鋸」が対応づけられ、位置「Ｃ２」には物品名のテキスト「植木ハサミ」が対応づけられ、位置「Ｃ３」には物品名のテキスト「金槌」が対応づけられ、位置「Ｄ１」には物品名のテキスト「電球」が対応づけられ、位置「Ｄ２」には物品名のテキスト「電池」が対応づけられ、位置「Ｄ３」には物品名のテキスト「二股コンセント」が対応づけられている。
【００５３】
なお、位置「Ｅ１」には、物品名ではなく当該位置に対応して印字ラベルＬＰへ印字形成される内容のテキスト、この例では「現在地」のテキストが対応づけられている。なお、この例では、位置「Ｅ２」には特にテキストは対応づけられていない。
【００５４】
＜ユーザの物品選択後のデータ処理＞
本実施形態では、前述のような誘導（大きさが小さい物品から大きい物品となる順番での移動）を行うために、ユーザが取得を意図する複数の物品について、優先順位付与を含むデータ処理を行う。以下、その内容を図１１及び図１２を用いて説明する。
【００５５】
一例として、ユーザが「電球」「取り替えモップ」「歯磨き粉」の３つの物品の取得を意図する場合を例にとって説明する。この場合、ユーザは、例えば販売店Ｓの入口ＥＮ近傍に設けられた上記印字ラベル作成装置１の操作面１０５Ａ上に載置された上記シートＳＨの、「電球」の選択キー２１、「取り替えモップ」の選択キー２１、「歯磨き粉」の選択キー２１を押圧操作する。これにより、前述したように、これら「電球」「取り替えモップ」「歯磨き粉」の３つの物品が選択されたこと（物品選択情報に相当）が、ＣＰＵ２１２によって認識される。
【００５６】
すると、ＣＰＵ２１２は、まず、上記図９に示した物品基本データベースのうち、「電球」「取り替えモップ」「歯磨き粉」の３つの物品に係わるデータ内容を抽出したテーブルを新たに作成する（図１１（ａ）参照）。このテーブルでは、上記同様、物品「電球」の配置位置が上記位置「Ｄ１」、大きさが「８ｃｍ×５ｃｍ」、重さが「３０ｇ」、値段が「１２５円」、となっており、物品「取り替えモップ」については、配置位置が上記位置「Ａ１」、大きさが「１００ｃｍ×３０ｃｍ」、重さが「８００ｇ」、値段が「７５０円」、となっており、物品「歯磨き粉」については、配置位置が上記位置「Ｂ３」、大きさが「１５ｃｍ×３ｃｍ」、重さが「８０ｇ」、値段が「３９８円」、となっている。
【００５７】
その後、上記のように抽出された各物品「電球」「取り替えモップ」「歯磨き粉」のデータについて、それぞれに含まれる上記大きさ情報に基づき、大きさが小さい順に、優先順位が付与されるとともに、当該優先順位に沿った並べ替えが行われる（図１１（ｂ）参照）。この例では、大きさが最も小さい（＝８ｃｍ×５ｃｍ）物品「電球」に最も高い第１優先順位が与えられ、対応するデータが最上段に配列されている。そして、大きさがその次に小さい（＝１５ｃｍ×３ｃｍ）物品「歯磨き粉」に次に高い第２優先順位が与えられ、対応するデータが２段目に配列されている。そして、大きさが最も大きい（＝１００ｃｍ×３０ｃｍ）物品「取り替えモップ」に最も低い第３優先順位が与えられ、対応するデータが３段目に配列されている。
【００５８】
＜作成される印字ラベルの例＞
上記ユーザによる複数の物品の選択及びこれに対応した優先順位付与等に基づき、印字ラベル作成装置１により作成された印字ラベルＬＰの一例を図１２に示す。図１２に示すように、この印字ラベルＬＰには、図示左側にマップ表示部ＭＡが印字形成され、図示右側にテキスト表示部ＴＡが印字形成される。
【００５９】
マップ表示部ＭＡは、上記図８に示したレイアウト情報に基づき、販売店Ｓのフロア形状や、入口ＥＮ、出口ＥＸ、及び陳列棚ＳＴ１〜ＳＴ４を概念的に図像化したフロアマップＭ１（物品配置図に相当）と、「店内ご案内」の表題からなるテキストＭ２と、を備えている。
【００６０】
また、フロアマップＭ１中には、前述のようにして各物品「電球」「取り替えモップ」「歯磨き粉」に対してそれぞれ付与された優先順位に対応した、順位（１）（但し図中では丸数字で表す。以下同様）、順位（２）、順位（３）の表記が、各物品の配置位置情報に対応した部位に印字形成されている。
【００６１】
すなわち、この例では、上記のようにして第１優先順位が与えられた物品「電球」は、図１１（ｂ）に示したように位置「Ｄ１」に配置されている。したがって、フロアマップＭ１中の当該位置「Ｄ１」に対応する部位に、番号「（１）」が印字形成される。同様に、第２優先順位が与えられた物品「歯磨き粉」は、位置「Ｂ３」に配置されることから、フロアマップＭ１中の当該位置「Ｂ３」に対応する部位に番号「（２）」が印字形成される。同様に、第３優先順位が与えられた物品「取り替えマップ」は、位置「Ａ１」に配置されることから、フロアマップＭ１中の当該位置「Ａ１」に対応する部位に、番号「（３）」が印字形成される。なお、フロアマップＭ１中の（入口ＥＮ近傍の）位置「Ｅ１」に対応した部位には、上記配置割当てテーブルでの割当て（図１０参照）に対応して、現在地を表す「現」の文字が印字形成される。これにより、ユーザが、現在地より、各番号（１）→（２）→（３）の順序で移動することにより、先に図７に示したような順路でのユーザの移動を実現することができる。
【００６２】
なお、テキスト表示部ＴＡには、上記図１１（ａ）（ｂ）のテーブルに含まれるデータ内容に基づき、優先順位が割り当てられた各物品の名称詳細（型番等でもよい）及び値段情報が（補足情報として）印字形成されている。この例では、第１優先順位の物品「電球」の詳細名称「○○○○」とその価格「￥１２５」とが印字形成されており、第２優先順位の物品「歯磨き粉」の詳細名称「△△」とその価格「￥３９８」とが印字形成されており、第３優先順位の物品「取り替えモップ」の詳細名称「××」とその価格「￥７５０」とが印字形成されている。
【００６３】
＜制御内容＞
上記の内容を実現するために、印字ラベル作成装置１のＣＰＵ２１２によって実行される制御内容を、図１３を用いて説明する。
【００６４】
図１３において、例えばユーザによる電源ボタン７Ａの押下で印字ラベル作成装置１の電源がオンにされることによって、このフローが開始される（「ＳＴＡＲＴ」位置）。
【００６５】
まずステップＳ１０で、ＣＰＵ２１２は、上述したユーザの上記タッチパネル部５Ａへの（シートＳＨを介した）接触操作により、ユーザが取得を意図する複数の物品の物品選択情報が取得されたか否かを判定する。物品選択情報が取得されていなければステップＳ１０の判定は満たされず（Ｓ１０：ＮＯ）、物品選択情報が取得されるまでループ待機する。このステップＳ１０を実行するＣＰＵ２１２が、各請求項記載の選択情報取得手段として機能する。
【００６６】
なお、この物品選択情報の取得は、上記のようなユーザの選択キー２１の操作入力に基づく手法に限られない。例えば、ユーザが取得を意図する物品の型番情報や種類情報を、印字ラベル作成装置１の適宜のキーやボタンを用いてテキスト入力し、その内容をこのステップＳ１０で取得してもよい。あるいは、ユーザが持参したパッケージ等に記録されたバーコード情報（例えば、ユーザが取得を意図する物品の型番情報や種類情報に対応したもの）を、適宜のバーコードスキャナで読み取り、読み取り結果をこのステップＳ１０で取得しても良い。このような種々の指定を可能とすることで、ユーザの利便性をさらに向上することができる。
【００６７】
上記のようにして物品選択情報が取得されればステップＳ１０の判定は満たされて（Ｓ１０：ＹＥＳ）、ステップＳ２０へ移行する。
【００６８】
ステップＳ２０では、ＣＰＵ２１２は、上記ＲＯＭ２１４に記憶されている物品基本データベース（図９参照）から、上記ステップＳ１０で選択された物品（上記の例では「電球」「取り替えモップ」「歯磨き粉」）に係わるデータを抽出して上記テーブル（図１１（ａ）参照）を生成する。その後、当該テーブルに含まれる、各物品とそれらの大きさ情報との対応づけ（上記第２相関に相当）に基づき、上記ステップＳ１０で選択された物品の大きさ情報を取得する。
【００６９】
その後、ステップＳ３０で、ＣＰＵ２１２は、上記ステップＳ２０で取得した大きさ情報に基づき、上記図１１（ａ）のテーブルに含まれる各物品ごとに、大きさが小さい順に優先順位を付与する（上記図１１（ｂ）参照）。すなわち、前述したように、ユーザが選択した複数の物品のうち最も小さいものが優先順位が高く（＝優先順位１位）となり、最も大きいものが優先順位が低く（＝優先順位最下位）なる。なお、このステップＳ３０を実行するＣＰＵ２１２が、各請求項記載の順位付与手段として機能する。
【００７０】
そして、ステップＳ４０で、ＣＰＵ２１２は、上記図１１（ｂ）のテーブルにおける、各物品とそれらの配置位置情報との対応づけ（上記第１相関に相当）を参照して、上記ステップＳ３０で順位が付与された各物品それぞれに対する上記配置位置情報（上記の例では電球の「Ｃ１」、歯磨き粉の「Ｂ３」、取り替えモップの「Ａ１」）を取得する。このステップＳ４０を実行するＣＰＵ２１２が、各請求項記載の配置位置情報取得手段として機能する。
【００７１】
その後、ステップＳ５０で、ＣＰＵ２１２は、モータ駆動回路２１６を介してプラテンローラ用モータ２１１を駆動するとともに、印字ヘッド制御回路２１７を介して印字ヘッド６１の上記発熱素子を通電する。これにより、プラテンローラ６６により被印字テープ３Ａが搬送されつつ、印字ヘッド６１による印字が実行される。そして、上記ステップＳ３０で各物品に付与した優先順位番号を、予め準備された上記フロアマップＭ１中の、各物品「電球」「取り替えモップ」「歯磨き粉」各物品の配置位置（言い換えれば、上記配置割当てテーブルで割り当てられた「Ａ１」〜「Ｄ３」までのいずれかの配置位置）に対応した部位に、当該物品「電球」「取り替えモップ」「歯磨き粉」に対してステップＳ３０で付与された優先順位（１）（２）（３）が印字形成された、印字ラベルＬＰが生成される（図１２参照）。なお、このステップＳ５０を実行するＣＰＵ２１２が、各請求項記載の制御手段として機能する。その後、このフローを終了する。
【００７２】
＜実施形態の効果＞
以上説明したように、本実施形態においては、印字ラベルＬＰのフロアマップＭ１において、ユーザが選択した複数の物品それぞれの配置位置に対応した部位に、各物品の優先順位が表示される。したがって、ユーザは、フロアマップＭ１中に示される各順位（図１２参照）が付された箇所を、順位１→２→・・の順に移動することにより、自らが選択した複数の物品を、小さいものから順に取得することができる（図７参照）。これにより、それら複数の物品全部を、なるべく全行程の邪魔になりにくいようにしつつ円滑に順次取得することができる。この結果、印字ラベルＬＰにおいて単に複数の物品の配置箇所や入退出経路のみが示される場合に比べ、利用者の利便性を向上することができる。
【００７３】
なお、本発明は、上記実施形態に限られるものではなく、その趣旨及び技術的思想を逸脱しない範囲内で種々の変形が可能である。
【００７４】
（Ａ）物品の重さも加味して優先順位を付与する場合
上記実施形態では特に、ユーザが取得を意図する複数の物品について、大きさが小さいものから高い順位となるように、優先順位が付与された。ここで、上記複数の物品において、大きさがほぼ同じもの（あるいは、大きさの差が所定範囲内であるもの）があった場合には、重さが小さい物品から大きい物品となる順番（＝小さい重量順）で、優先順位を付与するようにしてもよい。
【００７５】
前述の例に沿い、例えばユーザが、物品「ハンドソープ」及び物品「シャンプー」を含む選択を実行した場合を考える。上記図９の物品基本データベースに示されるように、物品「ハンドソープ」の大きさは「１５ｃｍ×１０ｃｍ」であり、物品「シャンプー」の大きさも「１５ｃｍ×１０ｃｍ」であり、互いに等しい。これに対して、物品「ハンドソープ」の重さは「１９０ｇ」であり、物品「シャンプー」の重さは「２００ｇ」である。したがって、このような場合は、図１３のステップＳ２０の後に、上記第３相関に基づき各物品の重さ情報を取得する手順を設け、ステップＳ３０では、重さが軽い物品「ハンドソープ」の方に、物品「シャンプー」よりも高い優先順位を付与すればよい。
【００７６】
本変形例によれば、ユーザが取得を意図する複数の物品のうち大きさがほぼ同じものがあった場合には、ユーザは、より軽いものから順に取得することができる。この結果、重い物を長い距離所持するよりも軽い物を長い距離所持したほうが肉体的負担が楽であることから、ユーザは、意図する複数の物品を確実に円滑に取得することができる。
【００７７】
（Ｂ）代替品にも配慮する場合
例えば、ユーザが取得を意図する複数の物品のうち一部の特定の物品が、在庫切れなど販売等が不能な特殊事情となる場合があり得る。本変形例では、このような場合に備えて、詳細な図示は省略するが、上記特定の物品とこれに対応する代替品（後述の図１４参照）との対応付け（第４相関に相当）が予めＲＯＭ２１４に記憶されている（代替情報記憶手段としての機能）。そして、所定の条件が満たされたとき（例えば、在庫がない場合あるいはなくなる可能性がある場合、等）には、前述のようにしてユーザが物品を選択したとき、上記ＲＯＭ２１４に記憶された上記第４相関を参照して、ＣＰＵ２１２により上記選択された特定の物品に対応する代替品（図１４の蛍光灯の電球に対する、別の蛍光灯電球やＬＥＤ電球参照）が決定される（代替品決定手段としての機能）。なお、当該代替品に対する配置位置情報、大きさ情報、重さ情報、値段情報も、前述と同様、図９の商品基本データベースに予め記録されている。
【００７８】
そして、上記代替品に対しても、図１３のステップＳ２０において上記同様に大きさ情報が取得され、ステップＳ３０において優先順位が付与され、ステップＳ４０において配置位置情報が取得される。そして、ステップＳ５０で、上記代替品に付与された優先順位が、印字ラベルＬＰのフロアマップＭ１中の、当該代替品の配置位置に対応した部位に印字形成される。なお、この際、上記特定の物品（言い換えれば代替品によって代替される被代替物品）に付与された優先順位についても併せて、印字ラベルＬＰのフロアマップＭ１中の、当該特定の物品の配置位置に対応した部位に印字形成される。
【００７９】
図１４に、上記のように代替品が配慮された場合に作成された印字ラベルＬＰの一例を示す。この例では第１優先順位（図中の順位（１）の表記参照）が付与された電球（詳細名称○○の蛍光灯電球。価格￥１２５）に対し、代替品が２種類用意されている。すなわち、図中の順位（１）′で表記される優先順位が付与された電球（詳細名称○△の蛍光灯電球。価格￥１３５）と、図中の順位（１）″で表記される優先順位が付与された電球（詳細名称△□のＬＥＤ電球。価格￥３５０）と、である（テキスト表示部ＴＡの印字形成内容参照）。
【００８０】
本変形例によれば、ユーザの意図する複数の物品の一部が上記事情により販売等ができない場合であっても、ユーザは、当該物品と同等の代替品を含む複数の物品全部を円滑に順次取得することができる。この結果、さらに確実に利便性を向上することができる。
【００８１】
なお、以上において、図３に示す矢印は信号の流れの一例を示すものであり、信号の流れ方向を限定するものではない。
【００８２】
また、図１３に示すフローチャートは本発明を上記フローに示す手順に限定するものではなく、発明の趣旨及び技術的思想を逸脱しない範囲内で手順の追加・削除又は順番の変更等をしてもよい。
【００８３】
また、以上既に述べた以外にも、上記実施形態や各変形例による手法を適宜組み合わせて利用しても良い。
【００８４】
その他、一々例示はしないが、本発明は、その趣旨を逸脱しない範囲内において、種々の変更が加えられて実施されるものである。
【符号の説明】
【００８５】
１                印字ラベル作成装置（印刷装置）
３Ａ              被印字テープ（被印字媒体）
６１              印字ヘッド（印字手段）
６６              プラテンローラ（搬送手段）
２１２            ＣＰＵ
２１４            ＲＯＭ（配置位置情報記憶手段、大きさ情報記憶手段、重さ情報記憶手段、代替情報記憶手段）
【図１】
2015138285.tif 000003
【図２】
2015138285.tif 000004
【図３】
2015138285.tif 000005
【図４】
2015138285.tif 000006
【図５】
2015138285.tif 000007
【図６】
2015138285.tif 000008
【図７】
2015138285.tif 000009
【図８】
2015138285.tif 000010
【図９】
2015138285.tif 000011
【図１０】
2015138285.tif 000012
【図１１】
2015138285.tif 000013
【図１２】
2015138285.tif 000014
【図１３】
2015138285.tif 000015
【図１４】
2015138285.tif 000016